(57)【要約】【課題】  電子機器の電源オフ時における消費電力を削減しつつ電源オフ時においても入力されたコマンドを確実に検出可能とする。【解決手段】  電子機器Ｅの信号処理装置１１は指示入力部１２から電源オフのコマンドに対応する制御信号が入力されると、電源部３からハードウェア部２に対する電源供給を遮断すると共に、発振回路部１１３のスイッチ回路１１３１をオフにし、発振回路部１１３に対する電源供給を遮断する。このスイッチ回路１１３１は割込ポート部１１２からの信号入力に応じてオンとなる構成となっており、指示入力部１２から制御信号が入力された時点で発振回路部１１３に対する電源供給を再開する。発振回路部１１３からＣＰＵ回路部１１４に対するクロック信号の供給が再開されるとＣＰＵ回路部１１４の動作安定後、ＣＰＵ回路部１１４は電源部３からハードウェア部２に対する電源供給を再開させる。【選択図】  図１
2005284777.tif 000002
【特許請求の範囲】
【請求項１】
供給された電源により、所定周波数のクロック信号を発振する発振手段と、
特定の信号が入力されるポートを少なくとも有する入力手段と、
前記発振手段に対する電源供給のオン及びオフを切り替えるスイッチング手段と、
前記スイッチング手段がオンの状態にて前記発振手段により発振された前記クロック信号を利用して、前記電子機器の電源のオン及びオフを少なくとも制御する制御手段と、
を具備し、
前記スイッチング手段は、前記発振手段に対する電源供給がオフの状態にて前記ポートに前記特定の信号が入力された場合、前記発振手段に対する電源供給をオンに切り替える、
ことを特徴とする制御装置。
【請求項２】
ユーザの入力操作を受け付け、当該操作内容に対応する制御信号を前記ポートに入力した後、当該制御信号と同一の制御信号であって２回目の制御信号を前記入力手段に入力する指示手段を更に有し、
前記制御手段は、
前記スイッチング手段がオンに切り替わることにより前記発振手段から発振された前記クロック信号を利用して、前記２回目の制御信号に対応する操作内容を判別する判別手段と、
前記判別手段にて判別された操作内容が予め定められた内容と一致しているか否かを判定する判定手段と、
前記判定手段によって前記操作内容が予め定められた内容に一致しているものと判定された場合に、前記電子機器の電源をオンにする電源制御手段と
を少なくとも有する
ことを特徴とする請求項１に記載の制御装置。
【請求項３】
前記判定手段は、
前記判別手段にて判別された操作内容が電源オン以外の操作内容に対応している場合に、前記予め定められた内容と一致しているものと判定する
ことを特徴とする請求項２に記載の制御装置。
【請求項４】
ユーザによる入力操作を受け付け、当該入力操作に対応する時刻に前記ポートに制御信号を出力した後、当該制御信号と同一の制御信号であって２回目の制御信号を前記入力手段に入力するタイマ制御手段を更に有し、
前記制御手段は、
前記スイッチング手段がオンに切り替わることにより前記発振手段から発振された前記クロック信号を利用して、前記２回目の制御信号に対応する操作内容を判別する判別手段と、
前記判別手段における判別結果に基づいて、前記制御信号に対応する処理を実行する処理実行手段と
を少なくとも有する
ことを特徴とする請求項１に記載の制御装置。
【請求項５】
各種機能を実現するためのハードウェアと、
前記ハードウェアに対する電源供給を少なくとも制御する制御装置とを備えた電子機器であって、
前記制御装置は、
供給された電源により、所定周波数のクロック信号を発振する発振手段と、
特定の信号が入力されるポートを少なくとも有する入力手段と、
前記発振手段に対する電源供給のオン及びオフを切り替えるスイッチング手段と、
前記スイッチング手段がオンの状態にて前記発振手段により発振された前記クロック信号を利用して、前記ハードウェアに供給する電源のオン及びオフを少なくとも制御する制御手段と、
を具備し、
前記スイッチング手段は、前記発振手段に対する電源供給がオフの状態にて前記ポートに前記特定の信号が入力された場合、前記発振手段に対する電源供給をオンに切り替える、
ことを特徴とする電子機器。
【請求項６】
各種信号を処理する信号処理装置であって、
供給された電源により、所定周波数のクロック信号を発振する発振手段と、
特定の信号が入力されるポートを少なくとも有する入力手段と、
前記発振手段に対する電源供給のオン及びオフを切り替えるスイッチング手段と、
前記スイッチング手段がオンの状態にて前記発振手段により発振された前記クロック信号を利用して、前記入力手段に入力された信号を処理する信号処理手段と
を具備し、
前記スイッチング手段は、前記発振手段に対する電源供給がオフの状態にて前記ポートに前記特定の信号が入力された場合、前記発振手段に対する電源供給をオンに切り替える、
ことを特徴とする信号処理装置。
【発明の詳細な説明】
【技術分野】
【０００１】
本発明は、電子機器及び当該電子機器に搭載される制御装置、信号処理装置に関する。
【背景技術】
【０００２】
従来、例えば、ＤＶＤレコーダ等の電子機器においては、電源がオンの状態（以下、「オン状態」という）において、操作パネルに設けられた電源キーを操作し電源をオフにした場合（以下、この状態を「オフ状態」という）でも、例えば、電源オンのコマンドを検出するために、完全に電源が遮断された状態とされることはなく、所謂、休止状態に保持されている。かかる休止状態においては、通常、電子機器に搭載されているマイコン（制御装置）に電源が供給され、マイコンに搭載された発振回路からＣＰＵの動作クロック信号が発振されているため、電力が消費されている状態にある。このような消費電力は、電子機器の高機能化によるマイコンの情報処理量の増加に起因して、増加する傾向にあるため、如何にしてかかる消費電力を削減するかが問題となってきている。そこで、この休止状態における消費電力の削減を目的として、例えば、特許文献１に示す発明が提案されるに至っている。ここで、特許文献１に記載の発明においては、マイコンの動作モードとして複数のモードを設け、休止状態においてはマイコンを構成する発振回路が発振するクロック信号の周波数を低下させて、消費電力を削減する構成が採用されている。
【特許文献１】特開平９−１９１５６９号公報
【発明の開示】
【発明が解決しようとする課題】
【０００３】
ところで、上述した特許文献１に記載の発明においては、低周波数のクロック信号により電源オンのコマンドを検出する構成が採用されているため、休止状態においても動作クロックの発振を停止することができず、発振を停止した場合には電源オンのコマンドを検出することが不可能となる。このため、同発明においても、コマンド検出のために所定の動作電力が必要となっていた。
【０００４】
本願は、以上説明した事情に鑑みてなされたものであり、その解決しようとする課題の一例としては、電子機器の電源がオフの状態における消費電力を削減しつつ、オフ状態においても入力されたコマンドを確実に検出し、電子機器をオン状態に変更可能とする、制御装置、電子機器及び信号処理装置を提供することを目的とする。
【課題を解決するための手段】
【０００５】
上述した課題を解決するため、本願の一つの観点において、請求項１に記載の制御装置は、供給された電源により、所定周波数のクロック信号を発振する、例えば、発振回路から構成される発振手段と、割込信号等の特定の信号が入力されるポートを少なくとも有する入力手段と、前記発振手段に対する電源供給のオン及びオフを切り替えるスイッチング手段と、前記スイッチング手段がオンの状態にて前記発振手段により発振された前記クロック信号を動作クロックとして利用して、前記電子機器の電源のオン及びオフを少なくとも制御する、例えば、ＣＰＵから構成される制御手段と、を具備し、前記スイッチング手段は、前記発振手段に対する電源供給がオフの状態、すなわち、発振手段からクロック信号が発振されていない状態にて前記ポートに前記特定の信号が入力された場合、前記発振手段に対する電源供給をオンに切り替える、ことを特徴とする。
【０００６】
また、本願の他の観点において請求項５に記載の電子機器は、各種機能を実現するためのＤＶＤドライブ等のハードウェアと、前記ハードウェアに対する電源供給を少なくとも制御する制御装置とを備えた電子機器であって、前記制御装置は、供給された電源により、所定周波数のクロック信号を発振する、例えば、発振回路から構成される発振手段と、割込信号等の特定の信号が入力されるポートを少なくとも有する入力手段と、前記発振手段に対する電源供給のオン及びオフを切り替えるスイッチング手段と、前記スイッチング手段がオンの状態にて前記発振手段により発振された前記クロック信号を動作クロックとして利用して、前記ハードウェアに供給する電源のオン及びオフを少なくとも制御する制御手段と、を具備し、前記スイッチング手段は、前記発振手段に対する電源供給がオフの状態、すなわち、発振回路からクロック信号が発振されていない状態にて前記ポートに前記特定の信号が入力された場合、前記発振手段に対する電源供給をオンに切り替える、ことを特徴とする。
【０００７】
更に、本願の他の観点において請求項６に記載の信号処理装置は、各種信号を処理する信号処理装置であって、供給された電源により、所定周波数のクロック信号を発振する発振手段と、特定の信号が入力されるポートを少なくとも有する入力手段と、前記発振手段に対する電源供給のオン及びオフを切り替えるスイッチング手段と、前記スイッチング手段がオンの状態にて前記発振手段により発振された前記クロック信号を利用して、前記入力手段に入力された信号を処理する信号処理手段とを具備し、前記スイッチング手段は、前記発振手段に対する電源供給がオフの状態にて前記ポートに前記特定の信号が入力された場合、前記発振手段に対する電源供給をオンに切り替える、ことを特徴とする。
【発明を実施するための最良の形態】
【０００８】
以下、図面を参照し、本願の実施の形態について説明する。なお、係る実施形態は、本願を限定するものではなく、本願の技術思想の範囲内において任意に変更可能である。
【０００９】
［１］実施形態
［１．１］実施形態の構成
まず、本実施形態にかかる電子機器Ｅの構成を示すブロック図である図１を参照しつつ、本願の信号処理装置を搭載した電子機器Ｅの構成について説明することとする。同図に示すように、本実施形態にかかる電子機器Ｅは、システム制御装置１と、ハードウェア部２と、電源部３と、を有する。なお、例えば、「特許請求の範囲」における「電源制御装置」は「システム制御装置１」に対応し、「ハードウェア」は「ハードウェア部２」に対応する。
【００１０】
この電子機器Ｅは、電子機器Ｅがオフ状態の時、すなわち、電源部３からハードウェア部２に対する電源供給を遮断した際に、システム制御装置１において発生する電力消費を削減しようとするものである。以下、本実施形態にかかる電子機器Ｅの各要素について具体的に説明することとする。
【００１１】
ハードウェア部２は、電子機器Ｅが本来的に有する機能を実現するためのハードウェアから構成された要素であり、データバス４によって接続されたシステム制御装置１の制御の下、各種の動作を実行する。このハードウェア部２は、電子機器Ｅの種類によって異なる種類のハードウェアにて構成されており、異なった動作を行うものである。例えば、電子機器ＥがＡＶ（Audio Visual）アンプである場合、このハードウェア部２は、ＤＳＰ（Digital Signal Processor）やＤＡＣ（Digital Analog Converter）、低周波増幅器を有する音声処理装置等のハードウェアによって構成され、入力されたオーディオデータに対する信号処理を行い、これをＤ／Ａ変換して増幅した後、スピーカに出力する動作を行うこととなる。
【００１２】
電源部３は、スイッチ３３を介してハードウェア部２に接続されており、プラグ３１から供給される電源を、電源回路３２によって整流し、所定電圧にて安定化した後、ハードウェア部２に供給する。このスイッチ３３は、システム制御装置１の制御の下、オン、オフされる構成となっており、かかるスイッチ３３の機能により電源回路３２から供給される電源がハードウェア部２に供給され、或いは、遮断される。この結果、スイッチ３３がオンの状態において電子機器Ｅはオン状態となり、スイッチ３３がオフの状態において電子機器Ｅはオフ状態となる。また、この電源部３の電源回路３２は、スイッチ３３を介すことなくシステム制御装置１に接続されており、常時、システム制御装置１に対して電源を供給する。
【００１３】
次いで、システム制御装置１は、例えば、マイコンによって構成された信号処理装置１１と、この信号処理装置１１に対して各種コマンドに対応する制御信号を供給する指示入力部１２とを有し、更に、この信号処理装置１１は、ＩＮ／ＯＵＴポート部（以下、「ＩＮ／ＯＵＴ」を「Ｉ／Ｏ」と略称する）１１１と、割込ポート部１１２と、発振回路部１１３と、ＣＰＵ回路部１１４と、を有している。なお、例えば、「特許請求の範囲」における「発振手段」は発振回路部１１３に対応し、「入力手段」はＩ／Ｏポート１１１及び割込ポート１１２に対応する。また、例えば、「制御手段」はＣＰＵ回路部１１４に対応し、「指示手段」は指示入力部１２に対応する。
【００１４】
ＣＰＵ回路部１１４は、図示せぬ記録領域に記録されている制御プログラムを実行し、電子機器Ｅの各部を制御する。
【００１５】
Ｉ／Ｏポート部１１１は、データバス４と接続されており、各種信号の入出力に用いられる。例えば、このＩ／Ｏポート部１１１に設けられた入力ポートの内、Ｉ／Ｏポート１及び２は指示入力部１２のキーパネル部１２１に接続され、Ｉ／Ｏポート３は外部機器インターフェイス（以下、「インターフェイス」を「Ｉ／Ｆ」という）部１２２に接続され、Ｉ／Ｏポート４はリモコン受光部１２３に接続されており、指示入力部１２からの制御信号はこれらのポートを介して信号処理装置１１に入力されることとなる。
【００１６】
かかるＩ／Ｏポート部１１１の機能により、本実施形態にかかるＣＰＵ回路部１１４は、電子機器Ｅの各部を制御する。例えば、指示入力部１２から電源オフのコマンドに対応した制御信号が入力された場合、当該制御信号は、ＣＰＵ回路部１１４へと供給される。そして、ＣＰＵ回路部１１４は、制御プログラムに従って、当該制御信号に応じた処理を実行し、電源部３を制御するのである。この結果、電源部３においては、スイッチ３３がオフに切り替えられ、ハードウェア部２に対する電源供給が遮断されることとなる。
【００１７】
割込ポート部１１２は、キーパネル部１２１が接続されているポートＡと、外部機器Ｉ／Ｆ部１２２が接続されたポートＢと、リモコン受光部１２３が接続されたポートＣと、を有しており、各ポートに入力された制御信号を発振回路部１１３のスイッチ回路１１３１に出力する。
【００１８】
発振回路部１１３は、例えば、水晶発振子の固有振動を利用して、所定周波数のクロック信号を発生し、ＣＰＵ回路部１１４に供給する。ＣＰＵ回路部１１４は、この発振回路部１１３から供給されるクロック信号を動作クロックとして利用して動作し、制御プログラムに従った処理を実行する。
【００１９】
また、本実施形態において、この発振回路部１１３には、電源供給のオン、オフを切り替えるためのスイッチ回路１１３１が設けられている。このスイッチ回路１１３１がオフの状態となると、発振回路部１１３に対する電源供給がオフ、すなわち、遮断されるため、発振回路部１１３からＣＰＵ回路部１１４に対するクロック信号の供給が遮断される。この結果、信号処理装置１１における電力消費は、理論的に「０」となる。なお、例えば、「特許請求の範囲」における「スイッチング手段」は、このスイッチ回路１１３１に対応している。
【００２０】
ここで、本実施形態においてＣＰＵ回路部１１４は、電子機器Ｅをオフ状態とする際、すなわち、電源部３のスイッチ３３をオフにする際に、スイッチ回路１１３１をオフにする制御を行う。しかしながら、スイッチ回路１１３１がオフになると、ＣＰＵ回路部１１４は、指示入力部１２から入力される電源オンのコマンドに対応する制御信号を検出することが不可能となる。換言するならば、この状態になると、電子機器Ｅの電源をオン状態にすることが不可能となってしまうのである。
【００２１】
そこで、本実施形態において、ＣＰＵ回路部１１４は、電源オフのコマンドに対応する制御信号が入力されると、スイッチ回路１１３１に対してリスタート設定を施す。このリスタート設定は、指示入力部１２から割込ポート部１１２に対して制御信号が入力された時点で、スイッチ回路１１３１がオンとなり、発振回路に対する電源の供給を再開するための設定である。
【００２２】
かかる設定がなされる結果、指示入力部１２から割込ポート部１１２に制御信号が入力されて割込が発生した時点で、発振回路部１１３によるクロック信号の供給が再開され、ＣＰＵ回路部１１４は、この供給が再開されたクロック信号を利用して制御プログラムに従った処理を実行できるようになるのである。なお、スイッチ回路１１３１を具体的に如何なる回路にて構成するのかは、任意である。例えば、ＦＥＴを利用してスイッチングを行うようにしても良い。
【００２３】
次いで、キーパネル部１２１は、例えば、再生キー、停止キー、巻き戻しキー等の各種コマンドを指定するためのキーパネルを有し、ユーザによる入力操作を受け付ける。このキーパネルの各キーには、各々、ラダー抵抗に設けられたスイッチＳＷ１-ｋ（ｋ＝１、２、・・・、ｎ）が対応付けられており、キーを押下することにより、対応するスイッチＳＷ１-ｋがオンとなる構成となっている。
【００２４】
このラダー抵抗は、基準電圧Ｖ１が印可される端子から信号処理装置１１のＩ／Ｏポート部１１１のＩ／Ｏポート１まで、抵抗Ｒｋ（ｋ＝１、２、・・・、ｎ）が直列に接続されており、各抵抗Ｒｋの接続点は、スイッチＳＷ-ｋを介してＩ／Ｏポート２に接続されている。このため、キーの押下状態に応じて、Ｉ／Ｏポート１及び２の間に発生する電位差が変動することとなる。信号処理装置１１は、このＩ／Ｏポート１、２間に生じる電位差を制御信号として受け付け、当該制御信号に基づいてユーザの入力操作を判別する。
【００２５】
また、このキーパネル部１２１に設けられたキーパネルには、電源キーも含まれており、この電源キーは、上記スイッチＳＷ１-ｋと対応付けられていると共に、スイッチＳＷ２に対応付けられている。このスイッチＳＷ２は、信号処理装置１１の割込ポート部１１２のポートＡに印可される基準電圧Ｖ１をグランドに接続するために設けられたものである。従って、キーパネルに設けられた電源キーを押下すると、ポートＡに印可されていた基準電圧Ｖ１がグランドに接続され、入力されていた制御信号が「Ｈ」レベルから「Ｌ」レベルに変化する。
【００２６】
外部機器Ｉ／Ｆ部１２２は、外部機器と接続するためのコネクタを有し、このコネクタを介して外部機器から送信されてきた制御信号を、信号処理装置１１において処理可能な形式に変換して、Ｉ／Ｏポート部１１１のＩ／Ｏポート３及び割込ポート部１１２のポートＢに出力する。
【００２７】
リモコン受光部１２３は、例えば、受光素子により構成され、リモコン装置から赤外線によって送信された制御信号を受信すると共に、当該受信した制御信号を信号処理装置１１にて処理可能な形式に変換して、信号処理装置１１の割込ポート部１１２のポートＢに出力する。また、この際、リモコン受光部１２３は、当該制御信号をＩ／Ｏポート部１１１のＩ／Ｏポート４に出力する。
【００２８】
ここで、上述のように、本実施形態にかかる信号処理装置１１は、リスタート設定がなされている状態にて割込ポート部１１２に制御信号が入力され、割込が発生すると、発振回路部１１３による動作クロックの供給が再開され、ＣＰＵ回路部１１４が動作状態に移行することとなる。しかし、かかるＣＰＵ動作後に行うべき処理については、割込ポート部１１２のどのポートに対して割込が発生したかによって、異なる処理を行うことが求められる。
【００２９】
具体的には、ポートＡに割込が発生した場合、すなわち、キーパネル部１２１の電源キーが押下された場合には、当該制御信号の入力をトリガとしてスイッチ３３をオンに切替え、電子機器Ｅをオン状態に移行させることが必要となる。また、ポートＢに割込が発生した場合、すなわち、外部機器Ｉ／Ｆ部１２２からの制御信号が入力された場合についても、外部機器からの制御を可能とするために、制御信号の入力をトリガとして電子機器Ｅをオン状態に移行させることが必要となる。
【００３０】
これに対し、ポートＣに割込が発生した場合、すなわち、リモコン受光部１２３からの制御信号が入力された場合、当該入力をトリガとして、一律に電子機器Ｅをオン状態に移行させてしまうと、ユーザに違和感を与えることとなりかねない。具体的には、本実施形態においては制御信号がリモコン受光部１２３に受信されると、当該制御信号に対応するコマンドの内容とは無関係に当該制御信号がポートＣに入力されてしまうため、例えば、電源オンのコマンドに対応する制御信号以外の制御信号がリモコン受光部１２３によって受信された場合にも、電子機器Ｅがオン状態へと移行し、ユーザの意図した動作とは異なる動作が電子機器Ｅにおいて実行されてしまう可能性があるのである。
【００３１】
従って、リモコン受光部１２３から制御信号が入力された場合、直ちに電子機器Ｅをオン状態に移行させることは、得策とはいえない。そこで、本実施形態においてＣＰＵ回路部１１４は、動作クロックの供給が再開された時点で制御信号が入力されたポートが割込ポート部１１２の、どのポートであるかを判別する。なお、この際、ＣＰＵ回路部１１４が制御信号の入力されたポートを如何なる方法により判別するかは任意である。例えば、クロック信号の発振開始後、割り込みベクタからジャンプするベクタアドレスを予めポートＡ、Ｂ、Ｃ毎に設定しておき、割込ポートに対する割込の発生後、ジャンプ先のアドレスに基づいて制御信号の入力されたポートを判別するようにしても良い。また、各ポート毎に制御信号の入力の有無を示すフラグビットを設定し、当該フラグビットの状態に基づいて入力のあったポートを判別するようにしても良い。
【００３２】
かかる判別の結果、制御信号が入力され、割込の発生したポートがポートＣであるものと判別された場合、ＣＰＵ回路部１１４は、電源部３のスイッチ３３を切り替えることなく、Ｉ／Ｏポート４に入力された制御信号が電源オンのコマンドに対応するものであるか否かを判別する。そして、当該制御信号が電源オンのコマンドに対応するものである場合に、ＣＰＵ回路部１１４は、スイッチ３３をオンにする制御を行う一方、電源オンのコマンド以外に対応するものである場合には、再度、リスタート設定を行って、スイッチ回路１１３１をオフ状態に移行させるのである。
【００３３】
しかしながら、かかる処理を実行するためには、以下のような問題がある。すなわち、発振回路部１１３は、電源供給の開始からクロック信号の発振安定までに１０ｍｍｓｅｃ程度の時間（以下、この時間を「ｗａｉｔ  ｔｉｍｅ」という）を要してしまうため、このｗａｉｔ  ｔｉｍｅ中、ＣＰＵ回路部１１４は、実質的に動作不能な状態を維持する。よって、リモコン受光部１２３から、単に一度だけ制御信号を割込ポート部１１２とＩ／Ｏポート部１１１の双方に対して入力しても、ＣＰＵ回路部１１４の動作再開後に上記のような制御を行うことは不可能となる。そこで、本実施形態においてリモコン受光部１２３は、リモコン装置から制御信号を受信すると、割込ポート部１１２及びＩ／Ｏポート部１１１に対して、同一の制御信号を二度出力する。このように、制御信号を二度出力することにより、一度目の入力信号に応じて発振回路の発振をスタートさせ、二度目の制御信号を利用して当該制御信号の内容をＣＰＵ回路１１４が判別できるようになるのである。
【００３４】
なお、リモコン受光部１２３から二度目の制御信号を出力するタイミングは、任意であるが、少なくとも、ｗａｉｔ  ｔｉｍｅ経過後に二度目の制御信号を出力することが必要となる。また、リモコン受光部１２３から、如何なる方法により同一の制御信号を二度出力するようにするのかは、任意である。例えば、以下のような方法を採用することが考えられる。
（方法１）リモコン装置において入力操作が行われた場合に、当該リモコン装置が同一の制御信号を二度送信するようにし、リモコン受光部１２３は、受信した制御信号をそのまま、割込ポート部１１２及びＩ／Ｏポート部１１１に出力する。
（方法２）リモコン受光部１２３のＩ／Ｏポート部１１１に対する出力部分に遅延回路を組み込み、割込ポート部１１２に対する制御信号の入力から、２０ｍｍｓｅｃ程度の遅延時間を持ってＩ／Ｏポート部１１１に制御信号が入力されるようにすることにより、制御信号を擬似的に二度出力する。
【００３５】
［１．２］実施形態の動作
次に、図２を参照しつつ、本実施形態にかかる電子機器Ｅの動作について説明する。なお、図２は、本実施形態にかかる電子機器Ｅの状態遷移を示す図である。また、同図においては、各状態を円により表示し、各状態間の遷移を矢印により示している。
【００３６】
まず、電子機器Ｅがオン状態Ｃ１にある場合、電源部３のスイッチ３３がオンに保持される結果、電源部３からシステム制御装置１及びハードウェア部２に対して電源が供給される。また、このオン状態Ｃ１においては、信号処理装置１１のスイッチ回路１１３１がオンの状態に保持される結果、発振回路部１１３に電源が供給され、クロック信号が発振される。ＣＰＵ回路部１１４は、このクロック信号を利用して制御プログラムを実行し、指示入力部１２から入力される各種コマンドに対応する制御信号に応じた制御を実行する。
【００３７】
例えば、キーパネル部１２１のキーパネルに対して入力操作が行われると、ラダー抵抗の抵抗値に変化が生じ、Ｉ／Ｏポート部１１１のＩ／Ｏポート１、２間に発生する電位差に変化が生じる。かかる電位差に基づいて、ＣＰＵ回路部１１４は、ユーザの入力コマンドを判別し、当該コマンドに応じた制御をハードウェア部２に対して行う。また、例えば、ユーザが図示せぬリモコン装置を操作すると、当該入力操作に対応する制御信号を変調した赤外線がリモコン受光部１２３において受光される。この結果、リモコン受光部１２３からＩ／Ｏポート部１１１に対して当該制御信号が入力され、ＣＰＵ回路部１１４は、当該制御信号に応じた制御をハードウェア部２に対して行う。
【００３８】
このオン状態Ｃ１において、ユーザが、例えば、キーパネル部１２１の電源キーを操作し、或いは、リモコン装置の電源ボタンを操作する。すると、指示入力部１２から電源オフのコマンドに対応する制御信号がＩ／Ｏポート部１１１に入力される。かかる制御信号の入力をトリガとして、電子機器Ｅはオン状態Ｃ１からリスタート設定を行う状態Ｃ２となる（ステップＳ１）。この状態Ｃ２においては、ＣＰＵ回路部１１４によって電源部３のスイッチ３３がオフにされ、ハードウェア部２に対する電源供給が遮断される。また、この際、ＣＰＵ回路部１１４は、スイッチ回路１１３１に対するリスタート設定を施し、スイッチ回路１１３１をオフに切り替える。この結果、発振回路部１１３によるクロック信号の供給が停止され、電子機器Ｅは、オフ状態Ｃ３へと遷移する（ステップＳ２）。
【００３９】
その後、このオフ状態Ｃ３において割込ポート部１１２のポートＡ、Ｂ、Ｃの何れかのポートに対して制御信号が入力され、割込が発生すると、電子機器Ｅは、状態Ｃ４へと遷移する（ステップＳ３）。この状態Ｃ４においては、割込ポートに対して入力された制御信号に従って、スイッチ回路１１３１がオンとなり発振回路部１１３に対する電源供給が再開される。その後、ｗａｉｔ  ｔｉｍｅを経過するまでの間、信号処理装置１１においては、ＣＰＵ回路部１１４が実質的に動作不能な状態となるが、クロック信号の供給が安定した時点で動作可能となる。
【００４０】
このようにして、ＣＰＵ回路部１１４が動作可能な状態になると、ＣＰＵ回路部１１４は、制御プログラムを実行し、当該制御プログラムのサブルーチンとして、図３にフローチャートを示す処理を実行する。この処理において、ＣＰＵ回路部１１４は、まず、制御信号が入力され、割込の発生したポートがポートＣであるか否か、すなわち、制御信号の出力元がリモコン受信部１２３であるか否かを判定する（ステップＳａ１）。なお、この際、ＣＰＵ回路部１１４が制御信号の入力されたポートを如何なる方法により判別するかは、上述のように任意である。
【００４１】
かかる判定において、「ｎｏ」と判定した場合、ＣＰＵ回路部１１４は、電源部３に対する制御を行った後（ステップＳａ４）、割込ポート部１１２の設定を変更し（ステップＳａ５）、メインルーチンに復帰する。この結果、電源部３のスイッチ３３がＣＰＵ回路部１１４によってオンに制御され、電子機器Ｅは、オン状態Ｃ１へと遷移することとなる（ステップＳ５）。また、ステップＳａ５における設定変更の結果、割込ポート部１１２に対して制御信号が入力されてもスイッチ回路１１３１のオン、オフが切り替えられない状態となる。
【００４２】
これに対して、ステップＳａ１において「ｙｅｓ」と判定した場合、ＣＰＵ回路部１１４は、Ｉ／Ｏポート部１１１から入力される二度目以降の制御信号を判別し（ステップＳａ２）、当該制御信号が電源オンのコマンドに対応する制御信号であるか否かを判定する（ステップＳａ３）。そして、この判定の結果、「ｙｅｓ」と判定した場合、ＣＰＵ回路部１１４は、電源部３に対する制御を行った後（ステップＳａ４）、割込ポート部１１２の設定を変更し（ステップＳａ５）、メインルーチンに復帰する。この結果、電子機器Ｅは、オン状態Ｃ１へと遷移することとなる（ステップＳ５）。
【００４３】
一方、ステップＳａ３において「ｎｏ」と判定した場合、ＣＰＵ回路部１１４は、リスタート設定を行い（ステップＳａ６）、スイッチ回路１１３１をオフに切り替えて（ステップＳａ７）、処理を終了する。この結果、電子機器Ｅは、状態Ｃ２に遷移した後に（ステップＳ４）、オフ状態Ｃ３へと遷移する（ステップＳ２）。
【００４４】
このように、本実施形態においてシステム制御装置１は、電子機器Ｅに対する電源供給を少なくとも制御する制御装置１であって、供給された電源により、所定周波数のクロック信号を発振する発振回路部１１３と、制御信号が入力される割込ポート部１１２を少なくとも有するＩ／Ｏポート部１１１及び割込ポート部１１２と、発振回路部１１３に対する電源供給のオン及びオフを切り替えるスイッチ回路１１３１と、スイッチ回路１１３１がオンの状態にて発振回路部１１３により発振されたクロック信号を利用して、電子機器Ｅの電源のオン及びオフを少なくとも制御するＣＰＵ回路部１１４と、を具備し、スイッチ回路１１３１は、発振回路部１１３に対する電源供給がオフの状態にて割込ポートに制御信号が入力された場合、発振回路部１１３に対する電源供給をオンに切り替える、構成となっている。
【００４５】
この構成により、スイッチ回路１１３１がオフの状態、すなわち、発振回路部１１３に電源が供給されていない状態において割込ポートに制御信号が入力され、割込が発生すると、スイッチ回路がオンとなり、発振回路部１１３に対する電源供給が再開される。この結果、発振回路部１１３からＣＰＵ回路部１１４へとクロック信号が供給されることとなるため、ＣＰＵ回路部１１４は、動作可能な状態に遷移し、電子機器Ｅの電源をオン（オン状態）にする。このため、発振回路部１１３に対する電源供給を遮断した状態においても、入力されたコマンドを検出し、電子機器Ｅをオン状態に変更することが可能となり、もって、電子機器Ｅがオフ状態にある場合における消費電力を削減することが可能となる。
【００４６】
また、本実施形態においてシステム制御装置１は、ユーザの入力操作を受け付け、当該操作内容に対応する制御信号を割込ポート部１１２に入力した後、当該制御信号と同一の制御信号であって２回目の制御信号をＩ／Ｏポート部１１１に入力する指示入力部１２を更に有し、ＣＰＵ回路部１１４は、スイッチ回路１１３１がオンに切り替わることにより発振回路部１１３から発振されたクロック信号を利用して、指示入力部１２から入力された２回目の制御信号に対応する操作内容を判別する。そして、ＣＰＵ回路部１１４は、上記判別の結果、判別された操作内容が予め定められた内容と一致しているか否かを判定し、当該操作内容が予め定められた内容に一致しているものと判定された場合に、電子機器Ｅの電源をオンにする構成を採用している。
【００４７】
この構成により、指示入力部１２から割込ポート部１１２に入力された１回目の制御信号により、発振回路部１１３における発振動作が再開され、この結果生成されたクロック信号がＣＰＵ回路部１１４へと供給される。一方、ＣＰＵ回路部１１４は、供給されるクロック信号を利用しつつ、２回目の制御信号に基づいてユーザの操作内容を判別し、当該判別した操作内容が、例えば、電源オンのコマンドに対応するものである場合に、電子機器Ｅの電源をオンにするのである。このため、リモコン受光部１２３から割込ポート部１１２に制御信号が入力された場合のように、当該制御信号に対応する具体的なコマンドの内容を検出する必要があるような場合であっても、確実に当該制御信号に対応するコマンドを検出し、ユーザの意図に沿った制御を実行することが可能となる。
【００４８】
［１．３］変形例
（１）変形例１
上述した実施形態においては、指示入力部１２のキーパネル部１２１をラダー抵抗により構成していた、しかし、キーパネル部１２１に関しては、図４に示すようなキーマトリクスにより構成するようにしても良い。ここで、このキーマトリクスのラインＬ１-ｓ（ｓ＝１、２、・・・、ｒ）は、Ｉ／Ｏポート部１１１の出力ポートに接続され、ラインＬ２-ｔ（ｔ＝１、２、・・・、ｐ）は、Ｉ／Ｏポート部１１１の入力ポートに接続されている。
【００４９】
また、このラインＬ１-ｓ及びＬ２-ｔの間には、両ライン相互間の接続を切り替えるためのスイッチＳＷ３-ｌ（ｌ＝１、２、・・・、ｍ）が設けられており、このスイッチＳＷ３-ｌには、キーパネル部１２１の各キーが対応付けられている。なお、このスイッチＳＷ３-ｌには、ラインＬ１-ｓからラインＬ２-ｔに向かう方向にのみ電流を流すべく、例えば、ダイオードからなる整流素子が接続された構成となっている。この結果、キーパネル部１２１のキーが押下されると、両ラインＬ１-ｓ及びＬ２-ｔが接続された状態となり、ＣＰＵ回路部１１４は、この各ラインＬ１-ｓ及びＬ２-ｔの導通状態により、如何なるキーが押下されたかを判別する。
【００５０】
また、本変形例においても、キーパネル部の電源キーは、上記スイッチＳＷ３-ｌと対応付けられていると共に、スイッチＳＷ２に対応付けられており、電源キーが押下された場合には、割込ポート部１１２のポートＡに対する印可された電圧が「Ｈ」レベルから、「Ｌ」レベルに変化する。なお、他の要素については、上記実施形態と同様である。
【００５１】
（２）変形例２
上述した実施形態においてリモコン受光部１２３は、Ｉ／Ｏポート部１１１のＩ／Ｏポート４及び割込ポート部１１２のポートＣの双方に接続された構成となっている。しかし、リモコン受光部１２３をポートＣにのみ接続する構成を採用することも可能である。この場合、リスタート設定時にＣＰＵ回路部１１４がポートＣを割込ポートとして設定し、ポートＣに割込が発生することにより（制御信号の入力）、ＣＰＵ回路部１１４の動作が再開された時点で、ポートＣをＩ／Ｏポートに再設定する構成を採用することも可能である。また、割込ポート部１１２のポートＣにＩ／Ｏポートとしての機能を持たせることによっても、同様の処理を行うことが可能となる。なお、外部機器Ｉ／Ｆ部１２２と信号処理装置１１との接続関係についても、上記リモコン受光部１２３の場合と同様である。
【００５２】
（３）変形例３
図５に本変形例にかかる電子機器Ｅ１の構成を示す。なお、同図において、上記図１と同様の要素については、図１と同様の符号を付している。
【００５３】
ここで、本変形例にかかる電子機器Ｅ１は、電源オンのコマンド以外の所定のコマンド入力に対しても電子機器Ｅ１をオン状態に遷移させると共に、当該コマンドに対応する制御を実行するためのものである。例えば、電子機器Ｅ１がＣＤ（Compact Disc）プレーヤの場合、キーパネル部１２１０やリモコン装置の再生キーに対する入力操作がなされた場合であっても、電子機器Ｅ１がオン状態となり、ＣＤメディアの再生制御が実行されることとなる。
【００５４】
かかる機能を実現するため本変形例においてキーパネル部１２１０は、上記変形例１と同様にキーマトリクスにより構成されており、このキーマトリクスの各スイッチＳＷ３-ｌには、キーパネル部１２１０を構成するキーパネルの各キーが対応付けられている。また、キーパネル部１２１０には、ＮＰＮトランジスタＴが設けられており、このトランジスタＴのコレクタは、所定のスイッチＳＷ３-ｌに対応するラインＬ１-ｓに接続されると共に、ベースは当該スイッチＳＷ３-ｌに対応するラインＬ２-ｔに接続されている。
【００５５】
一方、このトランジスタＴのエミッタは、抵抗Ｒ１１を介してグランドに接続されると共に、例えば、ダイオードのような整流素子と抵抗Ｒ１２を介して割込ポート部１１２のポートＡに接続されている。かかる構成により、トランジスタＴの接続されたスイッチＳＷ３-ｌがオンとなることにより、トランジスタＴがオンとなり割込ポート部１１２のポートＡに制御信号が入力されることとなる。なお、トランジスタＴを、どのスイッチＳＷ３-ｌに接続するかは任意であり、例えば、再生キーに対応するスイッチＳＷ３-ｌにトランジスタＴのベースを接続するようにすれば、再生キーの押下によってポートＡに制御信号が入力されることとなる。また、トランジスタＴを複数設け、各トランジスタＴのベース及びコレクタに複数のスイッチＳＷ３-ｌに対応するラインＬ１-ｓ及びラインＬ２-ｔを接続するようにすれば、複数のスイッチＳＷ３-ｌのオン、オフに応じてポートＡに制御信号を入力させることも可能となる。この構成により、本実施形態においては、電源キー以外のキーが押下された場合でも、割込ポート部１１２に対して制御信号を入力するが可能となるのである。
【００５６】
また、本変形例において、ＣＰＵ回路部１１４は、上記図３のルーチンに替えて、図６に示すルーチンを実行することにより、電源オンのコマンド以外の所定のコマンドが入力された場合にも電子機器Ｅ１をオン状態Ｃ１に遷移させると共に、当該コマンドに対応した制御を実行する。この処理において、ＣＰＵ回路部１１４は、まず、制御信号が入力され、割込の発生したポートがポートＣであるか否か、すなわち、制御信号の出力元がリモコン受信部１２３であるか否かを判定する（ステップＳａ１）。
【００５７】
この判定において「ｙｅｓ」と判定した場合、入力された制御信号に応じて如何なる処理を実行すべきかを決定することが必要となる。そこで、「ｙｅｓ」と判定した場合、ＣＰＵ回路部１１４は、図３ステップＳａ２と同様の処理を実行し、当該入力された制御信号を判別する。そして、この判別結果に応じて、ＣＰＵ回路部１１４は、ステップＳａ３と同様の処理を実行し、「ｎｏ」と判定した場合には、ステップＳａ６及びＳａ７の処理を実行する。この結果、電子機器Ｅ１は、状態Ｃ２に遷移した後に（ステップＳ４）、オフ状態Ｃ３へと遷移する（ステップＳ２）。
【００５８】
これに対し、ステップＳａ３において「ｙｅｓ」と判定した場合、ＣＰＵ回路部１１４は、上記図３ステップＳａ４及びＳａ５と同様の処理を実行した後、ステップＳａ２において判別した制御信号の内容に基づく処理が必要か否かを判定する（ステップＳａ１３）。例えば、電子機器Ｅ１において再生コマンドの入力時にオン状態Ｃ１に遷移するように設定されている場合、ＣＰＵ回路部１１４は、ステップＳａ２において判別した制御信号が再生コマンドに対応したものであるか否かを判定し、再生コマンドに対応したものである場合には、このステップＳａ１３において「ｙｅｓ」と判定する。なお、この例のように再生コマンドによりオン状態Ｃ１に遷移させる場合、キーパネル部１２１０のスイッチＳＷ３-ｌを再生キーに対応付けることが必要となる。
【００５９】
次いで、このステップＳａ１３において「ｙｅｓ」と判定した場合、ＣＰＵ回路部１１４は、当該コマンドに対応した制御を実行した後にメインルーチンに復帰する一方（ステップＳａ１４）、「ｎｏ」と判定した場合には、当該コマンドに対応した制御を実行することなくメインルーチンへと復帰する。
【００６０】
一方、上記ステップＳａ１において「ｎｏ」と判定した場合、ＣＰＵ回路部１１４は、制御信号が入力され、割込の発生したポートがポートＡであったか否かを判定する（ステップＳａ１１）。かかるステップＳａ１１において「ｎｏ」と判定した場合、ＣＰＵ回路部１１４は、電源部３に対する制御を行った後（ステップＳａ１５）、割込ポート部１１２の設定を変更して（ステップＳａ１６）、メインルーチンに復帰する。
【００６１】
これに対して、ステップＳａ１１において「ｙｅｓ」と判定した場合、当該入力された制御信号に応じて如何なる処理を実行すべきかを決定することが必要となる。そこで、「ｙｅｓ」と判定した場合、ＣＰＵ回路部１１４は、当該入力された制御信号を判別する処理を行う（ステップＳａ１２）。
【００６２】
次いで、ＣＰＵ回路部１１４は、ステップＳａ４及びＳａ５を実行した後、ステップＳａ１２において判別した制御信号の内容に基づく処理が必要か否かを判定する（ステップＳａ１３）。そして、このステップＳａ１３において「ｙｅｓ」と判定した場合には、当該コマンドに対応した制御を実行した後にメインルーチンに復帰する一方（ステップＳａ１４）、「ｎｏ」と判定した場合には、当該コマンドに対応した制御を実行することなくメインルーチンへと復帰する。
【００６３】
このようにして、本変形例においてＣＰＵ回路部１１４は、入力された制御信号に対応する操作内容が電源オン以外の操作内容に対応している場合に、予め定められた内容と一致しているものと判定する。このため、電源オンのコマンド以外のコマンドが入力された場合にも、電子機器Ｅ１をオン状態へと遷移させた後に当該コマンドに対応する制御を実行することが可能となる。
【００６４】
（４）変形例４
上記実施形態においては、電子機器Ｅがオフ状態の場合にＣＰＵ回路部１１４に対するクロック信号の供給を遮断して、信号処理装置１１における電力消費を論理的に「０」とするためのものであった。これに対して本変形例は、電子機器Ｅ２がオフ状態の場合においても、時刻管理及びタイマ管理を行い、例えば、ＤＶＤレコーダやビデオテープレコーダのような電子機器Ｅ２において録画予約を行うためのものである。
【００６５】
かかる機能を実現するための本変形例にかかる電子機器Ｅ２の構成を図７に示す。なお、同図において上述した図１に記載の各要素と同様の要素については、同様の符号を付している。従って、特に示さない限り図７において上記図１と同様の符号が付されている各要素は、上記実施形態と同様の構成を有し、同様の機能を有するものである。
【００６６】
同図に示すように本変形例にかかる電子機器Ｅ２は、上記図１に記載の各要素と共に、割込ポート１１２のポートＤに接続されると共にデータバス４に接続されたタイマ制御部５が設けられている。このタイマ制御部５は、電子機器Ｅ２がオフ状態にある場合においても常時クロック信号の発振を継続する発振回路を有しており、この発振回路から発生されるクロック信号を利用して、時計機能が実現される。なお、このタイマ制御部５において利用されるクロック信号の発信周波数は、例えば、３２ｋＨｚとなっており、ＣＰＵ回路部１１４が利用するクロック信号よりも低周波数のものとなっている。
【００６７】
また、このタイマ制御部５はメモリを有しており、信号処理装置１１による制御の下、例えば、番組の録画予約を受け付け、当該予約内容を、このメモリに記録する。そして、電子機器Ｅ２がオフ状態にあり、ＣＰＵ回路部１１４に対するクロック信号の供給が遮断されている状態において、当該予約内容に基づいて所定の制御信号を信号処理部１１の割込ポート１１２のポートＤに出力する。
【００６８】
一方、本変形例においてスイッチ回路１１３１は、上記実施形態と異なり割込ポート部１１２の割込ポートＡ、Ｂ、Ｃ及びポートＤに対する制御信号の入力により、オフからオンに切り替えられる。このため、本変形例においては、タイマ制御部５からの制御信号の入力によりスイッチ回路１１３１がオンに切り替わり、発振回路部１１３によるクロック信号の発振がスタートする。
【００６９】
また、本変形例においてタイマ制御部５は、上記予約内容に対応した処理をＣＰＵ回路部１１４に実行させるべく、割込ポート部１１２に対する上記制御信号の入力に際して、Ｉ／Ｏポート部１１１に対しても制御信号を出力する。
【００７０】
但し、信号処理装置１１の発振回路部１１３からのクロック信号の発振が停止している状態において、タイマ制御部５による割込が発生した場合であっても、やはり上記ｗａｉｔｔｉｍｅが必要となる。このため、割込ポート部１１２に対する割込信号の出力時にＩ／Ｏポート部１１１に対して制御信号を入力したとしても、ＣＰＵ回路部１１４は当該制御信号に従った処理を実行することができない。
【００７１】
そこで、本変形例においてタイマ制御部５は、割込ポート部１１２に対する制御信号の入力後所定の時間が経過してから、再度、Ｉ／Ｏポート部１１１に対して制御信号を入力する。この点、上記実施形態においてリモコン受光部１２３が制御信号を二度出力するのと同様である。なお、この際、如何なる方法により、制御信号を二度出力するのかは、上記リモコン受光部１２３における場合と同様に任意である。
【００７２】
実際に予約内容に従った処理をＣＰＵ回路部１１４に実行させる場合、割込ポート部１１２に対して制御信号が入力され、発振回路部１１３によるクロック信号の発振が安定化すると、ＣＰＵ回路部１１４は割込の発生したポートがポートＤであるか否かを判定する。そして、ＣＰＵ回路部１１４は、当該ポートがポートＤであると判定した場合、Ｉ／Ｏポート部１１１に入力された制御信号を判別して、電源部３のスイッチ３３をオンにした後、当該制御信号に従った処理を実行することとなる。
【００７３】
このようにして、本変形例にかかる電子機器Ｅ２においては、ユーザによる入力操作を受け付け、当該入力操作に対応する時刻に割込ポート部１１２のポートＤに制御信号を出力した後、当該制御信号と同一の制御信号であって２回目の制御信号をＩ／Ｏポート部１１１に入力するタイマ制御部５を更に有し、ＣＰＵ回路部１１４は、スイッチ回路１１３１がオンに切り替わることにより発振回路部１１３から発振されたクロック信号を利用して、２回目の制御信号に対応する操作内容を判別する判別し、当該判別結果に基づいて、制御信号に対応する処理を実行する構成となっている。
【００７４】
この構成により、タイマ制御部５による制御信号の入力によりスイッチ回路１１３１がオンとなりＣＰＵ回路部１１４にクロック信号が供給されると共に、ＣＰＵ回路部１１４によって２回目の制御信号に対応する処理が実行される。このため、ＤＶＤレコーダやビデオテープレコーダにおける録画予約機能のようにタイマ機能を必要とする電子機器Ｅ２においても信号処理装置１１の消費電力を論理的に「０」とすることが可能となり、電子機器Ｅ２がオフ状態における消費電力を削減することが可能となる。
【図面の簡単な説明】
【００７５】
【図１】実施形態における電子機器Ｅの構成を示すブロック図である。
【図２】同実施形態における電子機器Ｅの状態遷移を示す図である。
【図３】同実施形態におけるＣＰＵ回路部１１４の実行する処理を示すフローチャートである。
【図４】変形例１におけるキーパネル部１２１の構成を示すブロック図である。
【図５】変形例３における電子機器Ｅ１の構成を示すブロック図である。
【図６】同変形例におけるＣＰＵ回路部１１４の実行する処理を示すフローチャートである。
【図７】変形例４における電子機器Ｅ２の構成を示すブロック図である。
【符号の説明】
【００７６】
Ｅ・・・電子機器
１・・・システム制御装置
１２・・・指示入力部
２・・・ハードウェア部
３・・・電源部
【図１】
2005284777.tif 000003
【図２】
2005284777.tif 000004
【図３】
2005284777.tif 000005
【図４】
2005284777.tif 000006
【図５】
2005284777.tif 000007
【図６】
2005284777.tif 000008
【図７】
2005284777.tif 000009